(57)【要約】【課題】主制御装置により、図柄制御を行うパチンコ遊技機において、各種予告機能作動中に、図柄変動、音声の発生、光の点滅等に更に芳香の発生を加えることにより、遊戯者に対して、一層の興趣を向上させるようにした芳香型パチンコ遊技機の提供。および、遊戯中に喫煙者が隣席で喫煙しながら遊戯をしていても、タバコ臭に悩まされることにない芳香型パチンコ遊技機の提供。【解決手段】主制御装置により、図柄制御を行うパチンコ遊技機に、各種予告機能に連動する制御機能を有する芳香発生部を設けたことを特徴とする芳香型パチンコ遊技機。【選択図】        なし【特許請求の範囲】
【請求項１】
主制御装置により、図柄制御を行うパチンコ遊技機に、各種予告機能に連動する制御機能を有する芳香発生部を設けたことを特徴とする芳香型パチンコ遊技機。
【請求項２】
請求項１記載の制御機能を有する芳香発生部が、芳香放出可能とした芳香保管部、ファン、それに結合した駆動部、電気回路部および電気回路部に開閉器を設けたことを特徴とする請求項１記載の芳香型パチンコ遊技機。
【請求項３】
遊戯中、各種予告発生時は芳香を発生し、それ以外のときは消臭剤雰囲気とすることを特徴とする請求項１または２記載の芳香型パチンコ遊技機。
【発明の詳細な説明】
【０００１】
【発明の属する技術分野】
本発明は、主制御装置により、図柄制御を行うパチンコ遊技機において、リーチ予告、大当たり予告、確率変動予告を行うときに匂いを放散することのできる芳香型パチンコ遊技機に関する。
【０００２】
【従来の技術】
ストレスの多い現代社会において、香りが癒しを促進する一つの材料として注目され、芳香を生活や仕事の場において生かすことが課題となっている。
制御型芳香出力装置について、特許文献１には、所定の制御信号に基づいて、香料の放出を行う制御型芳香出力装置において、香料を格納する香料格納手段と、前記香料格納手段に格納されている香料を取り出して空気中に放出する香料放出手段と、前記所定の制御信号に基づいて、前記香料放出手段を制御して、香料の放出を行う制御手段と、を備えたことを特徴とする制御型芳香出力装置について記載されている。
しかし、この制御型芳香出力装置がパチンコ遊技機に適用できることを示唆する記載はない。
【０００３】
特許文献２には、打玉を弾発して遊戯を行うパチンコ機において、打玉の入賞に基づいて生ずる入賞状態を検出する入賞状態検出手段と、該入賞状態検出手段の出力に基づいて芳香を発生する芳香発生装置と、を備えたことを特徴とするパチンコ機について記載されている。
現在、多くのパチンコ遊技機は、中央に図柄表示装置を有し、メイン制御装置からの情報に基づいて図柄制御を行っている。それと共に、メイン制御装置からの情報に基づいてリーチ予告、大当たり予告、確率変動予告を行うように制御されており、その際、図柄変更、音声の発生、光の点滅等により、遊戯者に特別の期待感を持たせることで、パチンコ遊戯の興趣を向上させるようにしている。
このようなパチンコ遊技機は、例えば特許文献３に記載されているように多くの文献に記載され、広く知られている。
また、パチンコ遊技場は、多くの遊戯者が集まり、遊戯を楽しんでいるが、なかには、喫煙者が遊戯中喫煙を続けるため、多くのパチンコ遊技場では遊技場全体として換気装置等によって換気を実施している。しかし、嫌煙者が遊戯を楽しんでいるとき喫煙者が隣席で喫煙しながら遊戯を開始すると嫌煙者はそのタバコ臭に悩まされることとなる。
【０００４】
【特許文献１】
特開平１０−１４６３８５号公報
【特許文献２】
特開平７−１７１２４６号公報
【特許文献３】
特開２００２−５２１７７号公報
【０００５】
【発明が解決しようとする課題】
本発明の目的は、主制御装置により、図柄制御を行うパチンコ遊技機において、各種予告機能作動中に、図柄変動、音声の発生、光の点滅等に更に芳香の発生を加えることにより、遊戯者に対して、一層の興趣を向上させるようにした芳香型パチンコ遊技機の提供にある。また、遊戯中に喫煙者が隣席で喫煙しながら遊戯をしていても、タバコ臭に悩まされることのない芳香型パチンコ遊技機の提供にある。
【０００６】
【課題を解決するための手段】
本発明の第１は、主制御装置により、図柄制御を行うパチンコ遊技機に、各種予告機能に連動する制御機能を有する芳香発生部を設けたことを特徴とする芳香型パチンコ遊技機に関する。
本発明の第２は、請求項１記載の制御機能を有する芳香発生部が、芳香放出可能とした芳香保管部、ファン、それに結合した駆動部、電気回路部および電気回路部に開閉器を設けたことを特徴とする請求項１記載の芳香型パチンコ遊技機に関する。
本発明の第３は、遊戯中、各種予告発生時は芳香を発生し、それ以外のときは消臭剤雰囲気とすることを特徴とする請求項１または２記載の芳香型パチンコ遊技機に関する。
【０００７】
以下、図面に基づき本発明を具体的に説明するが、本発明はこれにより何ら限定されるものではない。
図１は、本発明のパチンコ遊技機に配備された遊戯盤正面の必要要素を示す説明図である。
パチンコ遊戯盤１面の略中央にカラー液晶表示装置２により構成された図柄表示ユニット３が配設されている。このカラー液晶表示装置２は識別情報としての複数の図柄列を変動表示させる。通常、表示画面は左→右→中央または上→下→中央と変動表示される。
図柄表示ユニット３の下方中央にはチャッカにより構成された図柄始動口４が設けられ、その下方に可変入賞装置５が設けられている。
この可変入賞装置５は、前後方向に傾動可能に設けられた開閉扉を有している。開閉扉は、通常は閉状態であり、入賞不可能状態となっている。
パチンコ球打出しハンドル６を回転することにより打出しオンの状態となったとき、所定間隔を置いて連続して打出されたパチンコ球は、ガイド７に沿ってパチンコ遊戯盤１上方に移動し、くぎや風車（図示せず）によって落下方向を変化させながらパチンコ遊戯盤１下方に移動し、ある球は入賞口（図示せず）に入ることにより所定数のパチンコ球が賞球出口より放出され、また、あるものは図柄始動口４に入り、図柄始動開始スイッチをオンとする。そして、打出された他のパチンコ球は、閉状態となっている開閉扉全面またはその近傍を通り、入賞不可能球として回収口８より回収される。
【０００８】
１個のパチンコ球が図柄始動口４に入り、図柄始動開始スイッチがオンとなると、１回の図柄の図柄表示が行われ、通常、左図柄→右図柄→中央図柄または上図柄→下図柄→中央図柄の順に図柄が表示されて行く。次のパチンコ球が図柄始動口４に入ると、次の変更図柄となり同様に図柄が表示されて行く。例えば、図柄変更表示中通常と異なる図柄が現れると、リーチ予告となり、芳香放出孔９より芳香が放出される。そして、左図柄と右図柄または上図柄と下図柄が一致し、リーチ状態となったとき、中央図柄変更中、画面変更となり、大当たり予告となった場合、音や光と共に変更画面に同調して芳香放出孔９から異なる芳香が放出し、遊戯者は一層楽しむことができる。
【０００９】
そして、全図柄が一致したときに大当たり発生となり、可変入賞装置５は開の状態となり、入賞球が所定数に達したとき、一旦閉状態とし、また、開の状態となる。この開閉を所定回繰り返した後、通常の状態に帰る。また、全図柄が特定図柄（確率変動図柄）抽選に入ったとき確率変動予告をするために、更に異なる芳香を芳香放出孔より放出することができる。
なお、パチンコ球が図柄始動口４に入り、図柄始動開始スイッチがオンとなっても、左図柄と右図柄または上図柄と下図柄が不一致の場合は、芳香放出孔より消臭剤を放出するようにすることにより、遊戯中に喫煙者が隣席で喫煙しながら遊戯をしていても、タバコ臭に悩まされることはなくなる。また、消臭剤の放出は、パチンコ遊技機に配備された消臭剤放出スイッチ１０を設けることにより、遊戯者の意思により調整可能とすることもできる。しかし、この場合でも、リーチ予告、大当たり予告、確率変動予告の際に放出する芳香を優先して放出できるように制御する。
【００１０】
図２は、本発明のパチンコ遊技機に配備された制御系統の要部ブロック図である。
パチンコ遊技機には、パチンコ遊技の総括的制御を行う主制御装置１１と、主制御装置１１からの情報に基づいて各駆動部を制御する副制御装置、通常、図柄表示制御装置１２、音声制御装置１３、ランプ制御装置１４、賞球制御装置１５が配備されているが、本発明は、更にこれら装置に加えて、芳香発生制御装置１６を配備する。
【００１１】
主制御装置１１は、パチンコ遊技に関わる総括的な制御を行うための処理実効手段としての中央処理ユニットと、中央処理ユニットが実行するためのパチンコ遊戯全体に関わる制御プログラムが格納されており、中央処理ユニットが周辺機器との間でデータ通信を行うための通信インターフェースとにより構成されている。主制御装置１１は、図柄表示制御装置１２に対し、主制御装置１１から図柄表示制御装置１２に向けて一方向通信が可能に接続されている。なお、主制御装置１１から図柄表示制御装置１２に向けて送信される通信データは、変動パターンの種類と、左（上）図柄の停止図柄と、右（下）図柄の停止図柄と、中央停止図柄と、各図柄に対する図柄の停止コマンドである。
主制御装置１１にはスイッチ入力回路１７が接続され、パチンコ遊戯盤面に設けられた図柄始動口４に対して設けられた入賞検出スイッチによる検出信号がスイッチに入力回路を通じて入力される。
【００１２】
主制御装置１１の各図柄の停止コマンドが、リーチ予告、大当たり予告、確率変動予告を構成するとき、主制御装置１１から芳香発生制御装置１６に向けて送信される通信データは、各予告に対する芳香剤選択コマンド、芳香発生コマンド、芳香停止コマンドの他、消臭剤選択コマンド等である。
主制御装置１１よりのコマンドにより大当たり発生時は、賞球制御装置１５よりの信号に基づき可変入賞装置５の開閉が制御される。
【００１３】
図３は、本発明の芳香発生制御装置における制御機能を示すブロック図である。
芳香発生制御装置１６は、それぞれ異なる種類の香料を収納する複数の芳香剤収納部１８と、複数の芳香剤収納部１８に対応して配置され、対応する芳香剤収納部１８に収納されている香料を取り出して空気中に放出する複数の香料放出手段１９と、主制御装置１１から所定の制御信号を入力するためのインターフェース回路２０と、インターフェース回路２０を介して入力した制御信号に基づいて複数の香料放出手段１９を選択して芳香の放出を行う制御部２１と、放出された香料を外部へ送出するための送風ファン２２とからなる。
【００１４】
図４は芳香発生制御装置１６において芳香発生を行う芳香発生部の１例を示す説明図である。
芳香発生部は、パチンコ遊技機の背後に設けられ、複数種の香料または消臭剤を保管することのできる芳香保管部２３、主制御装置１１からの制御情報を受け、芳香保管部２３から所定の芳香を放出するように制御する制御部２１を有し、例えば、芳香保管部２３に取付けた蓋を開閉したり、芳香保管部２３を加熱する加熱手段２４と電源２５との間の回路の開閉器２６を制御すると共に、制御部２１により駆動部２７と電源２５との間の回路の開閉器２６が制御された駆動部２７を有するファン２８の回転により発生した芳香（消臭剤を含む。）をパチンコ遊技機外枠に設けられた芳香放出孔９（図１参照）より、外部に放出できるように構成されている。
【００１５】
芳香保管部２３は、芳香剤とそれを収納する収納容器とからなる。ここに用いる芳香剤としては、香料のみならず匂いを分解・除去する消臭剤も含む。
香料としては、例えば、バラ、菊、百合、梅等の花の香や、檜の香、杉の香、松の香、桜の香等の樹木の香等を用いることができる。１つの芳香剤収納容器には、液状の香料化合物や揮発性溶剤に溶かした単一の香料化合物を入れることもできるが、複数の香料化合物をブレンドした香料組成物を入れることもできる。
図柄制御を行うパチンコ遊技機の各種予告機能により変化する図柄に沿った香料をあらかじめ準備しておくことが好ましい。
芳香剤収納容器に入れる香料は、液状、ペースト状、固体状、など任意であるし、香料成分を織布、不織布など繊維状物質に含浸または吸着させた形でも良い。
これら芳香保管部２３は、その脱着を容易にすることができるように設計しておくと、芳香剤の消費や、パチンコ遊技機の変更に際し容易に対応することができるので好ましい。
【００１６】
芳香剤収納容器として固体金属からなる容器を用いることができる。芳香発生時に、通電による加熱機構を有していることが好ましい。例えば、加熱機構と結合した電気回路に設けた開閉器が制御手段からの情報によりオンの状態にあるとき、所定時間加熱するヒート線を固体金属からなる容器の外側にコイル状に巻いておくことにより、容易に加熱することができる容器が好ましい。
また、芳香剤収納容器として合成樹脂製チューブを用いることができる。この場合、香料やアルコールのような揮発性溶剤に侵されないことが必要である。合成樹脂としてはポリエチレンテレフタレート、ポリプロピレン等を挙げることができる。
【００１７】
また、芳香保管部２３は、香料を含有する多孔質物質を用いることができる。
多孔質物質としては、多孔性金属、多孔性合成樹脂等がある。
多孔性金属としては、アルミナ、シリカアルミナのほか、ステンレス、Ｃｏ−Ｃｒ合金、ＴｉおよびＴｉ合金の焼結体がある。
多孔性合成樹脂としては、ポリウレタンフォーム、ポリイミドフォーム、ポリエチレンフォーム等があり、又、重合体中の溶剤除去法によって得られた多孔質体がある。これら多孔質体は連通気泡を有するものが好ましい。
芳香保管部２３は、複数の芳香保管部によって形成し、香料の選択が可能なように、制御手段からの情報に基づいて、特定の芳香保管部を選択的に加熱、放香するようにする。
【００１８】
制御部２１からの情報に基づいて芳香保管部２３から匂いを放出する手段としては特に制限はないが、芳香保管部２３に対して超音波振動、加熱、加圧、風などの手段を単独あるいは併用して加えることのできる手段であり、これにより芳香保管部２３に収納されている芳香剤を外部に放出することができる。例えば、超音波振動は、電圧や周波数を変化させて、時間に対応して超音波が香料物質を刺激し霧状にして外部に放出する。また、香料収納容器の周辺に加熱器具などを装着することもできる。この場合の加熱器具としては、例えば熱応答性に優れたセラミックス材料を使用するなど、熱量の発生を瞬時に伝達できるものが好ましい。また、圧力を利用する例としては、高周波振動モータなどで圧力弁を上下に動かし、開閉口から外部に匂いを発生させることもできる。場合によっては、芳香保管部２３と匂いを放出する手段を一体化する場合には、芳香剤収納容器として金属、セラミックス、プラスチックス、繊維材料等からなる多孔体を用い、この多孔体に香料を塗布および／または含浸させておき、制御手段からの信号により、回転、振動、熱あるいは風圧のような圧力等を加えることにより、香料を外部に放出させることができる。
芳香剤と高圧ガスとを密閉した金属製の容器を準備し、芳香剤を含むガス取り出し口を弁で密封し、ソレノイドバルブを利用することにより、主制御装置１１より芳香発生制御装置１６に送られる制御信号による芳香発生制御が容易となる。また、液状芳香剤を収納した樹脂材や金属材からなる容器を準備し、同様の制御信号により、内部に収納された液状芳香剤に対し、一方から圧力を加え、多端から液を押出し、液受け皿に受けると共に、液受け皿上に風圧をかけ、揮発する芳香成分を外部に放出する構造とすることもできる。
【００１９】
芳香保管部２３は、複数の芳香保管部２３によって形成する。その場合、芳香剤の選択が可能なように、例えば、パチンコ遊技機の主制御装置からの各種入賞予告信号に基づく各種入賞予告画像と連動する芳香を選択制御する制御部からの信号に基づいて、特定の芳香保管部を選択的に加熱、放香するようにすることが好ましい。また、図柄始動口４に遊戯球が入賞すると、始動入賞検出スイッチによる検出信号が主制御装置１１に入力され、主制御装置１１により、入賞予告状態か否かを決定し、入賞予告状態でない場合には、芳香保管部の消臭剤が放出されるように芳香保管部の制御部に情報を送るようにすることにより、遊戯者による遊戯が行われているときのみ、消臭剤の放出ができるようになり、消臭剤の消耗を押さえることができる。また、ある入賞予告と次の入賞予告間は消臭剤が放出されることとなり、先に放出された芳香と次に放出される芳香との混合も避けることができる。
【００２０】
【発明の効果】
本発明により、主制御装置により、図柄制御を行うパチンコ遊技機において、各種予告機能作動中に、図柄変動、音声の発生、光の点滅等に更に芳香の発生を加えることにより、遊戯者に対して、一層の興趣を向上させるようにした芳香型パチンコ遊技機を提供できた。また、遊戯中に喫煙者が隣席で喫煙しながら遊戯をしていても、タバコ臭に悩まされることのない芳香型パチンコ遊技機を提供できた。
【図面の簡単な説明】
【図１】本発明のパチンコ遊技機に配備された遊戯盤正面の必要要素を示す説明図である。
【図２】本発明のパチンコ遊技機に配備された制御系統の要部ブロック図である。
【図３】本発明の芳香発生制御装置における制御機能を示すブロック図である。
【図４】本発明の芳香発生制御装置において芳香発生を行う芳香発生部の１例を示す説明図である。
【符号の説明】
１  パチンコ遊戯盤
２  カラー液晶表示装置
３  図柄表示ユニット
４  図柄始動口
５  可変入賞装置
６  打出しハンドル
７  ガイド
８  回収口
９  芳香放出孔
１０  消臭剤放出スイッチ
１１  主制御装置
１２  図柄表示制御装置
１３  音声制御装置
１４  ランプ制御装置
１５  賞球制御装置
１６  芳香発生制御装置
１７  スイッチ入力回路
１８  芳香剤収納部
１９  香料放出手段
２０  インターフェース回路
２１  制御部
２２  送風ファン
２３  芳香保管部
２４  加熱手段
２５  電源
２６  開閉器
２７  駆動部
２８  ファン
【図１】
2004321564.tif 000002
【図２】
2004321564.tif 000003
【図３】
2004321564.tif 000004
【図４】
2004321564.tif 000005